(57)【特許請求の範囲】
【請求項１】
釣り竿用の中空の第１の竿体の内部に第２の竿体を嵌合固定するための竿体の嵌合構造であって、
前記第１の竿体の内周部に形成された雌ネジ部と、
前記雌ネジ部に螺合するように外周部に形成された雄ネジ部と、軸が前記第１の竿体の軸に斜めに交差するように配置され前記第２の竿体の外径より大きい内径を有する雌嵌合部とを有する嵌合部材と、
を備えた竿体の嵌合構造。
【請求項２】
釣り竿用の中空の第１の竿体の内部に第２の竿体を嵌合固定するための竿体の嵌合構造であって、
前記第１の竿体の竿尻部に嵌め込まれ、その内周部に雌ネジ部が形成された筒体と、
前記雌ネジ部に螺合するように外周部に形成された雄ネジ部と、軸が前記第１の竿体の軸に斜めに交差するように配置され前記第２の竿体の外径より大きい内径を有する雌嵌合部とを有する嵌合部材と、
を備えた竿体の嵌合構造。
【請求項３】
前記雌嵌合部は、前記第１の竿体の軸に斜めに交差するように形成された嵌合穴を有する、請求項１又は２に記載の竿体の嵌合構造。
【請求項４】
前記雌ネジ部と前記雄ネジ部とは、互いのネジ軸が斜めに交差している、請求項１又は２に記載の竿体の嵌合構造。
【請求項５】
前記嵌合部材は、前記第１の竿体の竿尻端面に当接する当接部を有する、請求項１から４のいずれかに記載の竿体の嵌合構造。
【請求項６】
前記当接部は、前記第１の竿体の軸と直交する面に対し傾斜した傾斜面を有する、請求項５に記載の竿体の嵌合構造。
【請求項７】
前記第１の竿体の軸と直交する面に対して傾斜した傾斜面を有する前記第１の竿体の竿尻端部をさらに備える、請求項５に記載の竿体の嵌合構造。
【請求項８】
前記嵌合部材は、前記第１の竿体の竿尻部に装着される尻栓である、請求項１から７のいずれかに記載の竿体の嵌合構造。
【発明の詳細な説明】
【０００１】
【発明の属する技術分野】
本発明は、嵌合構造、特に、釣り竿用の中空の第１の竿体の内部に第２の竿体を嵌合固定するための竿体の嵌合構造に関する。
【０００２】
【従来の技術】
一般に、複数の竿体からなる釣り竿は、各竿体を嵌合構造で固定している。並継竿では、１本おき（たとえば、４本継ぎの並継竿の場合、１番竿と３番竿，２番竿と元竿）に竿尻側竿体（３番竿又は元竿）の内部に竿先側竿体（１番竿又は２番竿）を収納するために竿尻側竿体の竿尻部に嵌合構造を配置し、収納時に竿先側竿体の後端外周部を嵌合構造で竿尻側竿体の後端内周部に固定している。また、竿先側竿体が竿尻側竿体の内部に順次収納される振出竿では、竿尻側竿体の後端部や中間部に嵌合構造を配置し、収納時に竿先側竿体の後端部外周を嵌合構造で竿尻側竿体の後端内周部や中間内周部に固定している。
【０００３】
このような釣り竿の嵌合構造は、たとえば振出竿の場合、尻栓に装着された筒状の弾性体を有している。また、並継竿の場合、竿尻側竿体の後端部に装着された弾性体を有している。この弾性体の内径は、竿先側竿体の嵌合部分の外径より小さくなっている。この嵌合構造では、弾性体の内部に竿先側竿体を挿入することで弾性力により竿先側竿体を嵌合固定している。
【０００４】
【発明が解決しようとする課題】
前記従来の嵌合構造では、弾性体の弾性力により竿体を固定しているので、弾性体を尻栓や竿体に装着する必要があり、嵌合固定用に専用の嵌合部材を用意しなければならない。しかも、小さな内径の弾性体の弾性力により、竿体を固定しているので、外径が異なる竿体毎にそれに応じた内径の弾性体を用意する必要がある。
【０００５】
本発明の課題は、異なる外径の竿体を、専用の嵌合部材を用いることなく嵌合固定できるようにすることにある。
【０００６】
【課題を解決するための手段】
発明１に係る竿体の嵌合構造は、釣り竿用の中空の第１の竿体の内部に第２の竿体を嵌合固定するための構造であって、雌ネジ部と、嵌合部材とを備えている。雌ネジ部は、第１の竿体の内周部に形成されている。嵌合部材は、雌ネジ部に螺合するように外周部に形成された雄ネジ部と、軸が第１の竿体の軸に斜めに交差するように配置され第２の竿体の外径より大きい内径を有する雌嵌合部とを有している。
【０００７】
この嵌合構造では、嵌合部材の雄ネジ部を第１の竿体の内周部に形成された雌ネジ部にねじ込むことで、嵌合部材を第１の竿体に固定する。そして、第２の竿体を嵌合部材の雌嵌合部に挿入する。すると、雌嵌合部が第１の竿体の軸に斜めに交差するように形成されているので、第２の竿体を雌嵌合部の奥まで挿入すると第２の竿体の挿入部分は斜めに配置される。この結果、第２の竿体は自身の弾性で湾曲し、第１の竿体の内周部と、嵌合部材の雌嵌合部の開口部と、雌嵌合部の奥の部分とで第１の竿体及び雌嵌合部に接触して固定力が発生して第１の竿体に嵌合固定される。
【０００８】
ここでは、傾斜した雌嵌合部で第２の竿体の弾性を利用して嵌合固定しているので、専用の嵌合部材を用いることなく第２の竿体を嵌合固定できる。また、雌嵌合部の傾斜させることで第２の竿体を嵌合固定させているので、同じ内径の雌嵌合部で異なる外径の第２の竿体を嵌合固定できる。しかも傾斜を変えればさらに広い範囲で異なる外径の第２の竿体を嵌合固定できる。
【０００９】
発明２に係る竿体の嵌合構造は、釣り竿用の中空の第１の竿体の内部に第２の竿体を嵌合固定するための構造であって、筒体と、嵌合部材とを備えている。筒体は、第１の竿体の竿尻部に嵌め込まれ、その内周部に雌ネジ部が形成されている。嵌合部材は、雌ネジ部に螺合するように外周部に形成された雄ネジ部と、軸が第１の竿体の軸に斜めに交差するように配置され第２の竿体の外径より大きい内径を有する雌嵌合部とを有している。
【００１０】
この嵌合構造でも、嵌合部材の雄ネジ部を筒体の内周部に形成された雌ネジ部にねじ込むことで、嵌合部材を第１の竿体に固定する。そして、第２の竿体を嵌合部材の雌嵌合部に挿入する。すると、雌嵌合部が第１の竿体の軸に斜めに交差するように形成されているので、第２の竿体を雌嵌合部の奥まで挿入すると第２の竿体の挿入部分は斜めに配置される。この結果、第２の竿体は自身の弾性で湾曲し、第１の竿体の内周部と、嵌合部材の雌嵌合部の開口部と、雌嵌合部の奥の部分とで第１の竿体及び雌嵌合部に接触して固定力が発生して第１の竿体に嵌合固定される。
【００１１】
ここでは、傾斜した雌嵌合部で第２の竿体の弾性を利用して嵌合固定しているので、専用の嵌合部材を用いることなく第２の竿体を嵌合固定できる。また、雌嵌合部の傾斜させることで第２の竿体を嵌合固定させているので、同じ内径の雌嵌合部で異なる外径の第２の竿体を嵌合固定できる。しかも傾斜を変えればさらに広い範囲で異なる外径の第２の竿体を嵌合固定できる。
【００１２】
発明３に係る竿体の嵌合構造は、発明１又は２に記載の構造において、雌嵌合部は、前記第１の竿体の軸に斜めに交差するように形成された嵌合穴を有する。この場合には、斜めに嵌合穴を形成することで、雌嵌合部を第１の竿体の軸に対して斜めに交差して配置することができる。
発明４に係る竿体の嵌合構造は、発明１又は２に記載の構造において、雌ネジ部と前記雄ネジ部とは、互いのネジ軸が斜めに交差している。この場合には、雌嵌合部を第１の竿体の軸に沿って形成しても、２つのネジ部のネジ軸が斜めに交差しているので、それらを螺合させると、雌嵌合部を第１の竿体の軸に対して斜めに交差して配置することができる。
【００１３】
発明５に係る竿体の嵌合構造は、発明１から４のいずれかに記載の構造において、嵌合部材は、前記第１の竿体の竿尻端面に当接する当接部を有する。この場合には、当接部を第１の竿体の竿尻端面に当接させることにより嵌合部材を軸方向に位置決めできる。
発明６に係る竿体の嵌合構造は、発明５に記載の構造において、当接部は、第１の竿体の軸と直交する面に対し傾斜した傾斜面を有する。この場合には、雌嵌合部を第１の竿体の軸に沿って形成しても、傾斜面と竿尻端面とを当接させることで、雌嵌合部を第１の竿体の軸に対して斜めに交差して配置することができる。
【００１４】
発明７に係る竿体の嵌合構造は、発明５に記載の構造において、第１の竿体の軸と直交する面に対して傾斜した傾斜面を有する第１の竿体の竿尻端部をさらに備える。この場合には、雌嵌合部を第１の竿体の軸に沿って形成しても、当接部と竿尻端部の傾斜面とを当接させることで、雌嵌合部を第１の竿体の軸に対して斜めに交差して配置することができる。
【００１５】
発明８に係る竿体の嵌合構造は、発明１から７のいずれかに記載の構造において、嵌合部材は、第１の竿体の竿尻部に装着される尻栓である。この場合には、尻栓において上記効果を得ることができる。
【００１６】
【発明の実施の形態】
図１において、本発明の一実施形態を採用した中通し竿は、元竿１と、元竿１に装着された穂先側竿体ユニット２とを有している  元竿１は、必要に応じて長さを変更可能なズーム機構３を有している。ズーム機構３は、第１手元側竿体４と、第１手元側竿体４の内部に第１手元側竿体４に対して伸縮自在に挿入された第２手元側竿体５とから構成されている。
【００１７】
第１手元側竿体４は、わずかに先細りの筒状に形成され、その一面にはリール１０が装着されるリールシート１１が形成されている。第１手元側竿体４の竿尻部の内周面には、図２に示すように雌ネジ部４ａが形成されており、そこに尻栓１２が着脱自在に装着されている。この尻栓１２に、収納時に第２手元側竿体５の竿尻部が嵌合固定される。
【００１８】
尻栓１２は、図２に示すように、鍔付円筒形状の合成樹脂製の部材である。尻栓１２は、第１手元側竿体４の竿尻端面４ｂに当接する他の部分より大径の後端鍔部１２ａと、外周部に第１手元側竿体４に螺合するように形成された雄ネジ部１２ｂと、内周部に第１手元側竿体の軸４ＡＸと斜めに交差するように形成された嵌合穴１２ｃとを有している。この嵌合穴１２ｃに第２手元側竿体５の竿尻部が嵌合固定される。嵌合穴１２ｃの内径は、第２手元側竿体５の竿尻部の外径より大きい。
【００１９】
第２手元側竿体５は、第１手元側竿体４と同様に先細りの筒状に形成されている。第２手元側竿体５の竿尻部の外径は、第１手元側竿体４の竿先部の内径より大きい。これにより、伸長状態で、第２手元側竿体５は第１手元側竿体４から抜けず、かつ第１手元側竿体４と第２手元側竿体５とが固定される。第２手元側竿体５の竿先部には、図３に示すように、他の部分より外径が大きい肉厚部２０が形成されている。この肉厚部２０は、第２手元側竿体５が第１手元側竿体４内の尻栓１２に挿入された状態で、第１手元側竿体４の竿先部内周に後端部が位置するように配置されている。このため、図１に示すズーム収縮状態で第１手元側竿体４の尻栓１２と第２手元側竿体５の竿尻部とで両者が嵌合固定されるとともに、さらに第１手元側竿体４の竿先部と第２手元側竿体５の肉厚部２０とで両者が嵌合固定される。
【００２０】
肉厚部２０の前部には、リール４からの釣り糸Ｌを竿体内部に導入する糸導入孔２１が形成されている。また、肉厚部２０の糸導入孔２１の後部外周面には、糸案内部２２が装着されている。この糸案内部２２は、第２手元側竿体５の肉厚部２０に取り付けられた脚部２３と、脚部２３の先端に装着された糸挿通部２４とを有し、糸導入孔２１との関係においては両者は固定された関係にある。すなわち、糸導入孔２１と糸案内部２２との間の軸方向の距離は変化しない。糸挿通部２４には糸挿通孔２５が形成されている。なお、糸導入孔２１の縁及び糸案内部２２の糸挿通孔２５の縁には、釣り糸を案内するセラミック製の硬質リング２６ａ，２６ｂが装着されている。
【００２１】
穂先側竿体ユニット２は、図１に示すように、トップガイド３０を有する最も先端の第１番竿３１と、第１番竿３１を支持するとともに内部に収納可能でかつ第２手元側竿体５に挿入可能な第２番竿３２とを有している。このように、穂先側竿体ユニット２を構成する２本の竿３１，３２は振出形式で連結されている。そして、これらの竿の内部には、釣り糸Ｌが挿通する内部経路Ｐ（図３）が形成される。
【００２２】
図３及び図４に、穂先側竿体ユニット２の後端部の構造を示す。
第２番竿３２の後端開口部内周面には雌ネジ部３２ａが形成されており、この雌ネジ部３２ａに尻栓３５が着脱自在に装着されている。この尻栓３５に収納時に第１番竿３１の竿尻端部が嵌合固定される。尻栓３５は、鍔付円筒形状の合成樹脂製の部材である。尻栓３５は、第２番竿３２竿の尻端面３２ｂに当接する他の部分より大径の後端鍔部３５ａと、外周部に第２番竿３２に螺合するように形成された雄ネジ部３５ｂと、内周部に第２番竿３２の軸３２ＡＸと斜めに交差するように形成された嵌合穴３５ｃとを有している。この嵌合穴３５ｃに第１番竿３１の竿尻部が嵌合固定される。嵌合穴３５ｃの内径は、第１番竿３１体の竿尻部の外径より大きい。尻栓３５の後端部には他の部分より小径の糸挿通孔３６が形成されており、糸挿通孔３６には、それより内径が小さい硬質リング２６ｃが装着されている。なお、第１番竿３１の後端開口部には、釣り糸を案内する硬質リング２６ｄが装着されている。
【００２３】
このような実施形態の構造において、リール１０からの釣り糸を糸通しワイヤを使用して竿内部に挿入する場合は、穂先側竿体ユニット２を図３に示すように収縮状態にして糸導入孔２１の竿先側に配置する。穂先側竿体ユニット２を収縮状態にする際には、第１番竿３１を第２番竿３２内に挿入し、第１番竿３１の竿尻部を尻栓３５の嵌合穴３５ｃに挿入する。この嵌合穴３５ｃは第２番竿３２の軸３２ＡＸと斜めに交差するように形成されているので、第１番竿３１を嵌合穴３５ｃの奥まで挿入すると第１番竿３１の挿入部分は斜めに配置される。この結果、第１番竿３１は自身の弾性で湾曲し、第２番竿３２の内周部Ａと、内周部Ａと逆側の嵌合穴３５ｃの開口部Ｂと、開口部Ｂと逆側の嵌合穴３５ｃの奥側部分Ｃとで第２番竿３２及び嵌合穴３５ｃに接触して固定力が発生して尻栓３５に嵌合固定される。
【００２４】
ここでは、傾斜した嵌合穴３５ｃで第１番竿３１の弾性を利用して嵌合固定しているので、専用の嵌合部材を用いることなく第１番竿３１を嵌合固定できる。また、嵌合穴３５ｃの傾斜させることで第１番竿３５ｃを嵌合固定させているので、同じ内径の嵌合穴３５ｃで異なる外径の第１番竿３１を嵌合固定できる。しかも傾斜を変えればさらに広い範囲で異なる外径の第１番竿３１を嵌合固定できる。
【００２５】
また、釣り糸の巻き取りおよび繰り出し操作時においては、前述のように、糸案内部２２を設けて釣り糸の触れを規制し、釣り糸が糸導入孔２１の前後の端縁に接触しない構成になっているので、釣り糸の摺動抵抗を小さくできる。さらに、釣り糸の接触する個所には硬質の案内リング２６ｂ〜２６ｄを設けているので、釣り糸の摺動抵抗をさらに小さくできる。
【００２６】
さらに、この実施形態では、糸案内部２２が第２手元側竿体５に装着されているので、第２手元側竿体５を第１手元側竿体４に対して伸長させたとき、糸案内部２２によって釣り糸が第２手元側竿体５から離れることとなり、第２手元側竿体５の表面に釣り糸が接触する機会を少なくできる。したがって、釣り糸の摺動抵抗がより少なくなる。
【００２７】
一方、第２手元側竿体５を第１手元側竿体４内に収納するときには、尻栓３５の場合と同様に、図２に示すように、第２手元側竿体５の竿尻部を尻栓１２の嵌合穴１２ｃに挿入する。この嵌合穴１２ｃは第１手元側竿体４の軸４ＡＸと斜めに交差するように形成されているので、第２手元側竿体５を嵌合穴１２ｃの奥まで挿入すると第２手元側竿体５の挿入部分は斜めに配置される。この結果、尻栓３５と同様に、第１手元側竿体４の内周部Ａと、内周部Ａと逆側の嵌合穴１２ｃの開口部Ｂと、開口部Ｂと逆側の嵌合穴１２ｃの奥側部分Ｃとで第１手元側竿体４及び嵌合穴１２ｃに接触して固定力が発生して尻栓１２に第２手元側竿体５が嵌合固定される。
【００２８】
〔他の実施形態〕
（ａ）  図５に示すように、嵌合穴５を尻栓１２に対して斜めに形成せず、尻栓１２の雄ネジ部１２ｂと第１手元側竿体４の雌ネジ部４ａとのネジ軸を斜め交差するように形成してもよい。この場合、尻栓１２を第１手元側竿体４に装着すると、尻栓１２が第１手元側竿体４に対して斜めに装着され、嵌合穴１２ｃも斜めに配置される。
【００２９】
（ｂ）  図６に示すように、嵌合穴５を尻栓１２に対して斜めに形成せず、尻栓１２の鍔部１２ａの当接面１２ｄを斜めに形成するとともに、雄ネジ部１２ｂと雌ネジ部４ａとの嵌合を緩くしてもよい。この場合、尻栓１２を装着して当接面１２ｄが第１手元側竿体４の竿尻端面４ｂに当接したときに尻栓１２が斜めに装着され、嵌合穴１２ｃも斜めに配置される。なお、図７に示すように、第１手元側竿体４の竿尻端面４ｂ側を斜めに形成しても同様に、尻栓１２を斜めに装着でき、嵌合穴１２ｃを斜めに配置することができる。
【００３０】
（ｃ）  図８に示すように、元竿３の第１手元側竿体４の竿尻部に筒体９をはめ込み、筒体９に雌ネジ部４ａを設けてもよい。この場合には、長尺の竿体４に直接ネジ加工する必要がないので、加工が容易になる。
（ｄ）  図９に示すような並継竿を１本おきに太竿内に収納する際の嵌合固定にも本発明を適用できる。この並継竿は、元竿１ａと、第３番竿３３と、第２番竿３２と、第１番竿（穂先竿）３１とを有する４本継ぎの竿である。第１番竿３１の先端にはトップガイド３０が装着されている。また、第３番竿３３の竿尻部には糸案内部２２及び糸導入孔２１が形成されている。他の構成は、前述した実施形態と同様であり説明を省略する。
【００３１】
この並継竿を収納する際には、第１番竿３１を第３番竿３３に、第２番竿３２を元竿１ａにそれぞれ収納する。したがって、元竿１ａの尻栓１２と第３番竿３３の尻栓とには前述した嵌合構造が形成されており、それにより収納された第２番竿３２及び第１番竿３３の後端部が固定される。
【００３２】
【発明の効果】
本発明によれば、傾斜した雌嵌合部で第２の竿体の弾性を利用して嵌合固定しているので、専用の嵌合部材を用いることなく第２の竿体を嵌合固定できる。また、雌嵌合部の傾斜させることで第２の竿体を嵌合固定させているので、同じ内径の雌嵌合部で異なる外径の第２の竿体を嵌合固定できる。しかも傾斜を変えればさらに広い範囲で異なる外径の第２の竿体を嵌合固定できる。
【図面の簡単な説明】
【図１】本発明の一実施形態による中通し竿の側面図。
【図２】その収縮時の竿尻側尻栓部分の断面部分図。
【図３】その収縮時の糸導入孔付近の断面部分図。
【図４】その収縮時の竿先側尻栓部分の断面部分図。
【図５】他の実施形態の嵌合構造の側面断面図。
【図６】他の実施形態の嵌合構造の側面断面図。
【図７】他の実施形態の嵌合構造の側面断面図。
【図８】他の実施形態の図２に相当する図。
【図９】他の実施形態の図１に相当する図。
【符号の説明】
１，１ａ  元竿
２  穂先側竿体ユニット
４  第１手元側竿体
４ａ，３２ａ  雌ネジ部
４ＡＸ，３２ＡＸ  軸
９  筒体
１２，３５  尻栓
１２ａ，３５ａ  鍔部
１２ｂ，３５ｂ  雄ネジ部
１２ｃ，３５ｃ  嵌合穴
３１  第１番竿
３２  第２番竿
３３  第３番竿
【図１】
0003752330.tif 000002
【図２】
0003752330.tif 000003
【図３】
0003752330.tif 000004
【図４】
0003752330.tif 000005
【図５】
0003752330.tif 000006
【図６】
0003752330.tif 000007
【図７】
0003752330.tif 000008
【図８】
0003752330.tif 000009
【図９】
0003752330.tif 000010